(57)【要約】【課題】相手側シェルを備えた相手側コネクタと嵌合可能なコネクタであって、相手側シェルと接続可能であると共にバネ力によってシェルや筐体と接続可能なグランド部材を備えるコネクタを提供すること。【解決手段】コネクタ１０のグランド部材５０は、２つの被保持部５２０と、相手側シェルと接続可能な２つの接続部５３０と、２つの段部５４０と、連結部５５０と、少なくとも１つの弾性変形部５６２とを有している。弾性変形部５６２は、弾性変形可能となるように連結部５５０から延びている。被保持部５２０の夫々は、ピッチ方向（Ｙ方向）外側を向いた外表面５２２を有している。連結部５５０は、２つの段部５４０を介して２つの被保持部５２０を互いに連結している。連結部５５０のピッチ方向におけるサイズの最大値は、２つの被保持部５３０の外表面５２２の間のピッチ方向における距離の最大値よりも大きい。【選択図】図９
2018045967.tif 000002
【特許請求の範囲】
【請求項１】
対象物に取付可能であって、且つ、相手側シェルを備えた相手側コネクタと前後方向に沿って嵌合可能なコネクタであり、
前記コネクタは、前記前後方向における前側に嵌合部を有しており、且つ、ハウジングと、１以上のコンタクトを夫々含む２組以上のコンタクトセットと、シェルと、前記シェルと別体のグランド部材とを備えており、
前記コンタクトの夫々は、前記ハウジングに保持されており、
２組以上の前記コンタクトセットは、前記前後方向と直交するピッチ方向において互いに離れており、
前記シェルは、少なくとも部分的に前記ハウジングを覆っており、
前記グランド部材は、前記ピッチ方向において前記コンタクトセットのうちの互いに隣り合う２組の間に位置しており、
前記グランド部材は、２つの被保持部と、２つの接続部と、２つの段部と、連結部と、少なくとも１つの弾性変形部と、被固定部とを有しており、
前記被保持部は、前記ピッチ方向において互いに離れており、
前記被保持部の夫々は、前記ハウジングに保持されており、且つ、前記ピッチ方向外側を向いた外表面を有しており、
前記接続部は、前記相手側シェルと接続する部位であり、前記被保持部に夫々繋がっており、
前記連結部は、２つの前記段部を介して２つの前記被保持部を互いに連結しており、
前記弾性変形部は、弾性変形可能となるように前記連結部から延びており、
前記被固定部は、前記対象物に固定される部位であり、
前記連結部の前記ピッチ方向におけるサイズの最大値は、２つの前記被保持部の前記外表面の間の前記ピッチ方向における距離の最大値よりも大きい
コネクタ。
【請求項２】
請求項１記載のコネクタであって、
前記接続部は、前記被保持部から前方に向かって夫々延びている
コネクタ。
【請求項３】
請求項１又は請求項２記載のコネクタであって、
前記グランド部材は、前記被固定部を２つ有しており、
前記被固定部は、前記被保持部から夫々延びている
コネクタ。
【請求項４】
請求項１から請求項３までのいずれかに記載のコネクタであって、
前記グランド部材は、前記ピッチ方向と直交する所定平面について鏡対称な形状を有している
コネクタ。
【請求項５】
請求項１から請求項４までのいずれかに記載のコネクタであって、
前記グランド部材は、シェル接続部を有しており、
前記シェル接続部は、前記弾性変形部のうちの１つである第１弾性変形部と、第１被押当部とを有しており、
前記第１弾性変形部は、前記第１被押当部を支持しており、
前記第１被押当部は、前記シェルに押し当てられている
コネクタ。
【請求項６】
請求項５記載のコネクタであって、
前記シェルは、背面部を有しており、
前記背面部は、前記前後方向において前記ハウジングの背面を覆っており、
前記第１被押当部は、前記背面部に押し当てられている
コネクタ。
【請求項７】
請求項５又は請求項６記載のコネクタであって、
前記第１弾性変形部は、前記前後方向及び前記ピッチ方向の双方と直交する上下方向において、上端と、下端とを有しており、
前記第１弾性変形部の前記上端は、前記連結部と繋がっており、
前記第１弾性変形部の前記下端は、前記第１被押当部と繋がっており、前記第１弾性変形部の前記上端に対して相対的に移動可能である
コネクタ。
【請求項８】
請求項１から請求項７までのいずれかに記載のコネクタであって、筐体に収容可能なコネクタであり、
前記シェルは、前記筐体と接続する付加的接続部を有している
コネクタ。
【請求項９】
請求項１から請求項７までのいずれかに記載のコネクタであって、筐体に収容可能なコネクタであり、
前記グランド部材は、筐体接続部を有しており、
前記筐体接続部は、前記弾性変形部のうちの１つである第２弾性変形部と、第２被押当部とを有しており、
前記第２弾性変形部は、前記第２被押当部を支持しており、
前記第２被押当部は、前記コネクタが前記筐体に収容されたとき、前記筐体に押し当てられる
コネクタ。
【請求項１０】
請求項９記載のコネクタであって、
前記シェルは、前記筐体と接続する付加的接続部を有している
コネクタ。
【発明の詳細な説明】
【技術分野】
【０００１】
本発明は、相手側シェルを備えた相手側コネクタと嵌合可能なコネクタであって、シェルを備えると共にシェルと別体のグランド部材を備えるコネクタに関する。
【背景技術】
【０００２】
特許文献１には、外部シェル（シェル）９３０を備えると共にシェル９３０と別体の接続体（グランド部材）９４０を備えるコネクタ９００が開示されている。
【０００３】
図２６を参照すると、特許文献１に開示されたコネクタ９００は、シェル９３０及びグランド部材９４０に加えて、夫々２つのコンタクト９１０を含む２組のコンタクトセットと、２つの内部シェル９２０とを備えている。内部シェル９２０は、ピッチ方向において互いに離れており、且つ、コンタクトセットを夫々覆っている。グランド部材９４０は、ピッチ方向において２つの内部シェル９２０の間に位置している。内部シェル９２０の夫々は、２つの連結部９２２を有している。２つの内部シェル９２０は、連結部９２２及びグランド部材９４０を介して互いに接続されている。更に、内部シェル９２０の夫々は、連結部９２２を介してシェル９３０に接続されている。上述した内部シェル９２０とシェル９３０との接続により、シールド機能が強化されている。
【先行技術文献】
【特許文献】
【０００４】
【特許文献１】特開２０１３−０８９５７１号公報
【発明の概要】
【発明が解決しようとする課題】
【０００５】
特許文献１のコネクタ９００と異なる構造のコネクタについても、グランド部材９４０のようなシェルと別体の部材を備えてシールド機能を強化したいという要望がある。例えば、相手側シェルを備えた相手側コネクタと嵌合可能なコネクタであって内部シェルを備えていないコネクタについても、グランド部材を使用してシールド機能を強化したいという要望がある。この要望に応える場合、グランド部材を相手側シェルと接続可能に構成すると共に、グランド部材をバネ力によってシェルや筐体と接続するという構造が考えられる。換言すれば、コネクタに、相手側シェルと接続可能であると共にバネ力によってシェルや筐体と接続可能なグランド部材を設けることが考えられる。
【０００６】
そこで、本発明は、上述したグランド部材を備えるコネクタを提供することを目的とする。
【課題を解決するための手段】
【０００７】
本発明によるコネクタのグランド部材には、相手側シェルと接続する接続部と、シェルや筐体に押し当てられる部位を支持する弾性変形可能な部位（弾性変形部）とを設ける必要がある。また、グランド部材を強固に保持するという観点から、グランド部材には、コネクタの所定部位に保持される２つの被保持部を設けることが望ましい。グランド部材に２つの被保持部を設ける場合、２つの被保持部を互いに連結する連結部が必要である。更に、弾性変形部を安定的に支持するという観点から、弾性変形部は、連結部から延びていることが望ましい。
【０００８】
上述のように形成された弾性変形部が十分なバネ力を有するためには、連結部の幅は、より広いほうが好ましい。一方、コネクタのサイズの増大を避けるという観点から、連結部の幅は、より狭いほうが好ましい。本発明は、この一見矛盾する２つの要望に応えることができるグランド部材を備えたコネクタを提供する。より具体的には、本発明は、下記のコネクタを提供する。
【０００９】
本発明は、第１のコネクタとして、
対象物に取付可能であって、且つ、相手側シェルを備えた相手側コネクタと前後方向に沿って嵌合可能なコネクタであり、
前記コネクタは、前記前後方向における前側に嵌合部を有しており、且つ、ハウジングと、１以上のコンタクトを夫々含む２組以上のコンタクトセットと、シェルと、前記シェルと別体のグランド部材とを備えており、
前記コンタクトの夫々は、前記ハウジングに保持されており、
２組以上の前記コンタクトセットは、前記前後方向と直交するピッチ方向において互いに離れており、
前記シェルは、少なくとも部分的に前記ハウジングを覆っており、
前記グランド部材は、前記ピッチ方向において前記コンタクトセットのうちの互いに隣り合う２組の間に位置しており、
前記グランド部材は、２つの被保持部と、２つの接続部と、２つの段部と、連結部と、少なくとも１つの弾性変形部と、被固定部とを有しており、
前記被保持部は、前記ピッチ方向において互いに離れており、
前記被保持部の夫々は、前記ハウジングに保持されており、且つ、前記ピッチ方向外側を向いた外表面を有しており、
前記接続部は、前記相手側シェルと接続する部位であり、前記被保持部に夫々繋がっており、
前記連結部は、２つの前記段部を介して２つの前記被保持部を互いに連結しており、
前記弾性変形部は、弾性変形可能となるように前記連結部から延びており、
前記被固定部は、前記対象物に固定される部位であり、
前記連結部の前記ピッチ方向におけるサイズの最大値は、２つの前記被保持部の前記外表面の間の前記ピッチ方向における距離の最大値よりも大きい
コネクタを提供する。
【００１０】
また、本発明は、第２のコネクタとして、第１のコネクタであって、
前記接続部は、前記被保持部から前方に向かって夫々延びている
コネクタを提供する。
【００１１】
また、本発明は、第３のコネクタとして、第１又は第２のコネクタであって、
前記グランド部材は、前記被固定部を２つ有しており、
前記被固定部は、前記被保持部から夫々延びている
コネクタを提供する。
【００１２】
また、本発明は、第４のコネクタとして、第１から第３までのコネクタのいずれかであって、
前記グランド部材は、前記ピッチ方向と直交する所定平面について鏡対称な形状を有している
コネクタを提供する。
【００１３】
また、本発明は、第５のコネクタとして、第１から第４までのコネクタのいずれかであって、
前記グランド部材は、シェル接続部を有しており、
前記シェル接続部は、前記弾性変形部のうちの１つである第１弾性変形部と、第１被押当部とを有しており、
前記第１弾性変形部は、前記第１被押当部を支持しており、
前記第１被押当部は、前記シェルに押し当てられている
コネクタを提供する。
【００１４】
また、本発明は、第６のコネクタとして、第５のコネクタであって、
前記シェルは、背面部を有しており、
前記背面部は、前記前後方向において前記ハウジングの背面を覆っており、
前記第１被押当部は、前記背面部に押し当てられている
コネクタを提供する。
【００１５】
また、本発明は、第７のコネクタとして、第５又は第６のコネクタのいずれかであって、
前記第１弾性変形部は、前記前後方向及び前記ピッチ方向の双方と直交する上下方向において、上端と、下端とを有しており、
前記第１弾性変形部の前記上端は、前記連結部と繋がっており、
前記第１弾性変形部の前記下端は、前記第１被押当部と繋がっており、前記第１弾性変形部の前記上端に対して相対的に移動可能である
コネクタを提供する。
【００１６】
また、本発明は、第８のコネクタとして、第１から第７までのコネクタのいずれかであって、筐体に収容可能なコネクタであり、
前記シェルは、前記筐体と接続する付加的接続部を有している
コネクタを提供する。
【００１７】
また、本発明は、第９のコネクタとして、第１から第７までのコネクタのいずれかであって、筐体に収容可能なコネクタであり、
前記グランド部材は、筐体接続部を有しており、
前記筐体接続部は、前記弾性変形部のうちの１つである第２弾性変形部と、第２被押当部とを有しており、
前記第２弾性変形部は、前記第２被押当部を支持しており、
前記第２被押当部は、前記コネクタが前記筐体に収容されたとき、前記筐体に押し当てられる
コネクタを提供する。
【００１８】
また、本発明は、第１０のコネクタとして、第９のコネクタであって、
前記シェルは、前記筐体と接続する付加的接続部を有している
コネクタを提供する。
【発明の効果】
【００１９】
本発明によれば、グランド部材を、２つの被保持部によってしっかりとハウジングに保持できる。また、本発明によれば、連結部は、２つの段部を介して２つの被保持部を互いに連結している。段部が設けられているため、連結部のピッチ方向におけるサイズ（幅）の最大値を、２つの被保持部の外表面の間のピッチ方向における距離の最大値よりも大きくできる。このため、コネクタのピッチ方向におけるサイズの増大を抑制しつつ、連結部の幅を十分に広くできる。これにより、弾性変形部は、十分なバネ力を有する。
【図面の簡単な説明】
【００２０】
【図１】本発明の実施の形態によるコネクタを示す斜視図である。
【図２】図１のコネクタを示す別の斜視図である。
【図３】図１のコネクタを示す分解斜視図である。グランド部材の隠れた輪郭の一部を破線で描画している。
【図４】図１のコネクタを示す正面図である。コネクタに内部シェルを設ける場合の内部シェルの一例の輪郭を破線で描画している。
【図５】図１のコネクタを示す背面図である。コネクタのシェルは描画していない。
【図６】図４のコネクタをＶＩ−ＶＩ線に沿って示す断面図である。コネクタが搭載される回路基板の上面の一部を１点鎖線で描画している。コネクタが収容される筐体の一部を２点鎖線で描画している。コネクタが筐体に収容された際のシェルの付加的接続部の輪郭を破線で描画している。
【図７】図１のコネクタと相手側コネクタとを示す一部切り欠き斜視図である。コネクタは、相手側コネクタと嵌合していない。コネクタが搭載される回路基板の上面の一部を２点鎖線で描画している。相手側コネクタが接続されたケーブルの輪郭を破線で描画している。
【図８】図７のコネクタの一部（１点鎖線Ａで囲んだ部分）と相手側コネクタの一部（１点鎖線Ｂで囲んだ部分）とを示す斜視図である。コネクタは、相手側コネクタと嵌合している。
【図９】図１のコネクタのグランド部材を示す斜視図である。
【図１０】図９のグランド部材を示す正面図である。
【図１１】図９のグランド部材を示す背面図である。
【図１２】図９のグランド部材を示す側面図である。被保持部の上端の位置を変更する場合の輪郭を破線で描画している。
【図１３】図１のコネクタの変形例を示す斜視図である。
【図１４】図１３のコネクタを示す分解斜視図である。グランド部材の隠れた輪郭の一部を破線で描画している。
【図１５】図１３のコネクタを示す背面図である。コネクタのシェルは描画していない。
【図１６】図１３のコネクタを示す断面図である。コネクタが搭載される回路基板の上面の一部を１点鎖線で描画している。コネクタが収容される筐体の一部を２点鎖線で描画している。コネクタが筐体に収容された際のシェルの付加的接続部の輪郭及びグランド部材の筐体接続部の輪郭を破線で描画している。
【図１７】図１３のコネクタのグランド部材を示す斜視図である。
【図１８】図１７のグランド部材を示す背面図である。
【図１９】図１７のグランド部材を示す側面図である。図１２のグランド部材の被保持部の上端の一部を破線で描画している。
【図２０】図９のグランド部材の変形例を示す斜視図である。
【図２１】図２０のグランド部材を示す背面図である。
【図２２】図２０のグランド部材を示す側面図である。
【図２３】図１７のグランド部材の変形例を示す斜視図である。
【図２４】図２３のグランド部材を示す背面図である。
【図２５】図２３のグランド部材を示す側面図である。
【図２６】特許文献１のコネクタを示す正面図である。
【発明を実施するための形態】
【００２１】
図１及び図７を参照すると、本発明の実施の形態によるコネクタ１０は、相手側コネクタ６０（プラグ）と嵌合可能なレセプタクルである。図６及び図７を参照すると、コネクタ１０は、対象物（回路基板）７０に取付可能であり、且つ、金属等の導電体からなる筐体８０に収容可能である。詳しくは、本実施の形態において、回路基板７０は、上下方向（Ｚ方向）における上面７０Ｕを有している。コネクタ１０は、使用時に、回路基板７０の上面７０Ｕに搭載され、且つ、電子機器（図示せず）の筐体８０の内部に収容される。但し、本発明は、これに限られない。例えば、コネクタ１０は、落とし込みタイプのコネクタであってもよい。
【００２２】
図７を参照すると、本実施の形態による相手側コネクタ６０は、絶縁体からなる相手側ハウジング６１０と、２組の相手側コンタクトセット６２０Ｓと、金属製の２つの相手側シェル６３０とを備えている。相手側コンタクトセット６２０Ｓの夫々は、導電体からなる複数の相手側コンタクト６２０を含んでいる。相手側コンタクト６２０の夫々は、相手側ハウジング６１０に保持されており、且つ、ケーブル６９０と接続されている。２組の相手側コンタクトセット６２０Ｓは、ピッチ方向（Ｙ方向）において互いに離れており、且つ、前後方向（Ｘ方向）と直交する平面において相手側シェル６３０に夫々覆われている。
【００２３】
図１から図３までを参照すると、本実施の形態によるコネクタ１０は、絶縁体からなるハウジング２０と、２組のコンタクトセット３０Ｓと、金属製のシェル４０と、導電体からなり且つシェル４０と別体のグランド部材５０とを備えている。コンタクトセット３０Ｓの夫々は、導電体からなる４つのコンタクト３０を含んでいる。
【００２４】
図７を参照すると、コンタクトセット３０Ｓは、相手側コネクタ６０の相手側コンタクトセット６２０Ｓと夫々対応している。また、コンタクトセット３０Ｓの夫々におけるコンタクト３０は、対応する相手側コンタクトセット６２０Ｓの相手側コンタクト６２０と夫々対応している。上述の対応関係が満たされる限り、コンタクトセット３０Ｓの夫々は、１以上のコンタクト３０を含んでいればよい。
【００２５】
図１及び図２を参照すると、コネクタ１０は、前端１０Ｆと、後端１０Ｒと、嵌合部１２とを有している。前端１０Ｆ及び後端１０Ｒは、コネクタ１０のＸ方向における前端（＋Ｘ側の端）及び後端（−Ｘ側の端）に夫々位置している。嵌合部１２は、Ｘ方向におけるコネクタ１０の前側（＋Ｘ側）に位置している。換言すれば、嵌合部１２は、コネクタ１０の前端１０Ｆ近傍に設けられている。
【００２６】
図７を参照すると、コネクタ１０は、回路基板７０に取り付けられた状態において、Ｘ方向（嵌合方向）に沿って相手側コネクタ６０と嵌合可能である。コネクタ１０と相手側コネクタ６０とが互いに嵌合した嵌合状態において、嵌合部１２は、相手側コネクタ６０と嵌合する。特に、本実施の形態の嵌合部１２は、嵌合状態において、相手側コネクタ６０の−Ｘ側の端部を受容する。
【００２７】
図１から図４までを参照すると、ハウジング２０は、前方（＋Ｘ方向）に向かって開口した箱形状を有している。詳しくは、ハウジング２０は、上部２０Ｕと、下部２０Ｌと、２つの側部２０Ｓと、後部２０Ｒとを有している。上部２０Ｕ、下部２０Ｌ、側部２０Ｓ及び後部２０Ｒの夫々は、概ね板形状を有している。図３に示されるように、後部２０Ｒは、後方（−Ｘ方向）を向いた平面状の背面２３０を有している。
【００２８】
図２及び図４に示されるように、ハウジング２０は、２つの受容部２１０と、保持部２２０と、２つのコンタクト保持部２１２とを有している。保持部２２０は、後部２０ＲのＹ方向における中間部から前方に突出している。受容部２１０の夫々は、嵌合部１２に設けられた空間である。受容部２１０は、Ｙ方向において保持部２２０の両側に夫々形成されている。コンタクト保持部２１２は、受容部２１０の内部に夫々設けられている。コンタクト保持部２１２の夫々は、後部２０Ｒから前方に突出している。図７を参照すると、嵌合状態において、受容部２１０は、相手側コネクタ６０の相手側シェル６３０を夫々受容し、コンタクト保持部２１２は、相手側シェル６３０に夫々受容される。
【００２９】
本実施の形態のハウジング２０は、上述した構造を有している。但し、本発明は、これに限られず、ハウジング２０は、様々に変形可能である。
【００３０】
図４を参照すると、２組のコンタクトセット３０Ｓは、受容部２１０に夫々対応して設けられており、Ｙ方向において互いに離れている。受容部２１０の夫々において、コンタクトセット３０Ｓのコンタクト３０の夫々は、ハウジング２０の対応するコンタクト保持部２１２に保持されている。
【００３１】
図３及び図４を参照すると、本実施の形態によれば、コンタクトセット３０Ｓの夫々において、コンタクト３０は、上下２列に配置されている。更に、コンタクト３０は、互いに同じ基本構造を有している一方、上側（＋Ｚ側）に配置されたコンタクト３０は、下側（−Ｚ側）に配置されたコンタクト３０と少し異なる形状を有している。
【００３２】
本実施の形態によるコンタクト３０の夫々は、被保持部３１０と、接触部３２０と、延長部３８０と、被固定部３９０とを有している。被保持部３１０は、ハウジング２０のコンタクト保持部２１２に保持されている。接触部３２０は、被保持部３１０から前方に延びている。延長部３８０は、被保持部３１０から下方（−Ｚ方向）に延びている。被固定部３９０は、延長部３８０の下端（−Ｚ側の端）から後方に延びている。
【００３３】
図６を参照すると、被固定部３９０は、コネクタ１０の使用時に、回路基板７０の上面７０Ｕに形成された導電パッド（図示せず）に半田付け等によって接続され固定される。図７を参照すると、嵌合状態において、接触部３２０は、相手側コネクタ６０の相手側コンタクト６２０と夫々接触する。即ち、嵌合状態において、コンタクト３０は、相手側コンタクト６２０と夫々接続し、これにより、回路基板７０の導電パターン（図示せず）は、ケーブル６９０と電気的に接続される。
【００３４】
本実施の形態のコンタクト３０は、上述した構造を有している。但し、本発明は、これに限られず、コンタクト３０の形状及び配置は、様々に変形可能である。例えば、図４を参照すると、コンタクトセット３０Ｓの数は２に限られず、２以上であればよい。換言すれば、コネクタ１０は、Ｙ方向において互いに離れた２組以上のコンタクトセット３０Ｓを備えていればよい。この場合、ハウジング２０は、コンタクトセット３０Ｓに夫々対応する２つ以上のコンタクト保持部２１２を有していればよい。図３を参照すると、コンタクトセット３０Ｓの夫々において、コンタクト３０は、Ｙ方向に一列に配置されていてもよい。また、全てのコンタクト３０が、互いに同じ形状を有していてもよい。図６を参照すると、被固定部３９０をＺ方向に延ばし、回路基板７０のスルーホール（図示せず）に挿入してもよい。
【００３５】
図１から図３までを参照すると、シェル４０は、前方及び下方に向かって開口した箱形状を有している。詳しくは、シェル４０は、上板部４０Ｕと、２つの側板部４０Ｓと、背面部４０Ｒとを有している。本実施の形態のシェル４０は、折り曲げられた１枚の金属板である。上板部４０Ｕ、側板部４０Ｓ及び背面部４０Ｒの夫々は、多少の曲げを有する平板形状を有している。
【００３６】
図３を参照すると、シェル４０は、上方（＋Ｚ側）からハウジング２０に取り付けられている。この結果、シェル４０の背面部４０Ｒは、ハウジング２０の後部２０Ｒを後方から覆っている。特に、背面部４０Ｒは、Ｘ方向においてハウジング２０の背面２３０を覆っている。図１及び図２に示されるように、本実施の形態において、シェル４０は、後部２０Ｒに限らずハウジング２０の大部分を覆っている。但し、本発明は、これに限られず、シェル４０は、少なくとも部分的にハウジング２０を覆っていればよい。
【００３７】
図２から図４までを参照すると、シェル４０は、２つの主接続部４２０を有している。主接続部４２０は、側板部４０Ｓに夫々形成されている。主接続部４２０の夫々は、弾性変形可能である。主接続部４２０の一部（接点部）は、Ｙ方向において移動可能に支持されており、且つ、受容部２１０の内部に突出している。図７を参照すると、嵌合状態において、主接続部４２０の接点部は、相手側コネクタ６０の相手側シェル６３０と夫々接触する。
【００３８】
図１から図４までに示されるように、シェル４０は、付加的接続部４３０を有している。付加的接続部４３０は、上板部４０Ｕに形成されている。付加的接続部４３０は、弾性変形可能である。詳しくは、付加的接続部４３０は、上板部４０Ｕから、Ｙ方向において２つのバネに分かれつつ、上方及び後方に延びている。付加的接続部４３０の上端部は、Ｚ方向において移動可能に支持されている。図６を参照すると、コネクタ１０が筐体８０の内部に収容されたとき、付加的接続部４３０の上端部は、筐体８０と接触する。即ち、シェル４０は、筐体８０と接続する付加的接続部４３０を有している。
【００３９】
図１から図４までを参照すると、シェル４０は、６つの被固定部４９０を有している。被固定部４９０のうちの３つは、シェル４０の＋Ｙ側に設けられており、被固定部４９０のうちの他の３つは、シェル４０の−Ｙ側に設けられている。被固定部４９０の夫々は、下方に延びている。図６を参照すると、被固定部４９０の夫々は、コネクタ１０の使用時に、回路基板７０に形成されたスルーホール（図示せず）に挿入され固定される。これにより、シェル４０は、回路基板７０にグランドされる。
【００４０】
本実施の形態のシェル４０は、上述した構造を有している。但し、本発明は、これに限られず、シェル４０は、様々に変形可能である。また、コネクタ１０は、上述した部材に加えて、付加部材４０Ｘ（図４から図６までを参照）のような様々な部材を更に備えていてもよい。
【００４１】
図９から図１２までを参照すると、グランド部材５０は、折り曲げられた１枚の金属板である。グランド部材５０は、２つの側板部５１０と、２つの段部５４０と、連結部５５０と、シェル接続部５６０と、２つの被固定部５９０とを有している。２つの側板部５１０は、Ｙ方向において互いに離れており、且つ、ＸＺ平面に沿って互いに平行に延びている。側板部５１０の夫々は、被保持部５２０と、接続部５３０とを有している。シェル接続部５６０は、弾性変形部（第１弾性変形部）５６２と、被押当部（第１被押当部）５７０とを有している。即ち、グランド部材５０は、２つの被保持部５２０と、２つの接続部５３０と、弾性変形部５６２と、被押当部５７０とを有している。
【００４２】
２つの被保持部５２０は、Ｙ方向において互いに離れている。被保持部５２０の夫々は、ＸＺ平面上を延びる平板形状に形成されており、Ｙ方向外側を向いた外表面５２２を有している。外表面５２２の夫々は、ＸＺ平面上を延びる平面である。また、被保持部５２０の夫々は、複数の突起５２４と、複数の突起５２６とを有している。被保持部５２０の夫々において、突起５２４は、外表面５２２からＹ方向外側に突出しており、突起５２６は、被保持部５２０の上縁及び下縁から上下に突出している。
【００４３】
図３を参照すると、被保持部５２０の夫々は、後方からハウジング２０の後部２０ＲのＹ方向における中間部に圧入されており、突起５２４（図９参照）及び突起５２６（図９参照）により、ハウジング２０に強固に保持されている。本実施の形態によれば、グランド部材５０を、２つの被保持部５２０によってしっかりとハウジング２０に保持できる。図４を参照すると、被保持部５２０は、保持部２２０の後端においてハウジング２０に保持されている。図３及び図４から理解されるように、グランド部材５０は、Ｙ方向において２組のコンタクトセット３０Ｓの間に位置している。
【００４４】
図９から図１２までを参照すると、被固定部５９０は、被保持部５２０から下方に夫々延びている。被固定部５９０の夫々は、対応する被保持部５２０と同じＸＺ平面上に位置している。図６を参照すると、被固定部５９０は、回路基板７０に固定される部位である。詳しくは、被固定部５９０の夫々は、コネクタ１０の使用時に、回路基板７０に形成されたスルーホール（図示せず）に挿入され固定される。これにより、グランド部材５０は、回路基板７０にグランドされる。
【００４５】
図９及び図１２に示されるように、接続部５３０は、被保持部５２０に夫々繋がっている。特に、本実施の形態の接続部５３０は、被保持部５２０から前方に向かって夫々延びている。詳しくは、接続部５３０の夫々は、バネ部５３２と、接点部５３８とを有している。バネ部５３２は、その後端において被保持部５２０と繋がっており、弾性変形可能となるように前方に延びている。接点部５３８は、バネ部５３２の前端近傍に設けられており、バネ部５３２によってＹ方向に移動可能に支持されている。図２を参照すると、側板部５１０は、ハウジング２０の保持部２２０のＹ方向両側に沿って夫々延びている。図２及び図４を参照すると、接続部５３０の接点部５３８は、保持部２２０からＹ方向外側に張り出している。
【００４６】
図７及び図８を参照すると、接続部５３０は、相手側コネクタ６０の相手側シェル６３０と接続する部位である。詳しくは、接続部５３０の接点部５３８は、嵌合状態において、相手側シェル６３０と夫々接触する。従って、相手側シェル６３０は、嵌合状態において、グランド部材５０を経由して回路基板７０にグランドされる。加えて、相手側シェル６３０は、嵌合状態において、シェル４０の主接続部４２０を経由して回路基板７０にグランドされる。本実施の形態によれば、相手側シェル６３０を、様々な経路でグランドできる。
【００４７】
図９から図１２までを参照すると、弾性変形部５６２は、弾性変形可能となるように連結部５５０から下方に延びており、且つ、被押当部５７０を支持している。弾性変形部５６２は、Ｚ方向において上端５６６と、下端５６８とを有している。弾性変形部５６２の上端５６６は、連結部５５０の主部５５２の下端と繋がっている。弾性変形部５６２の下端５６８は、被押当部５７０と繋がっており、弾性変形部５６２の上端５６６に対して相対的に移動可能である。即ち、弾性変形部５６２において、上端５６６は、固定端であり、下端５６８は、自由端である。被押当部５７０は、自由端である弾性変形部５６２の下端５６８と繋がっており、Ｘ方向において移動可能である。本実施の形態による連結部５５０は、Ｚ方向においてグランド部材５０の上端近傍に位置している。これにより、弾性変形部５６２において上端５６６と下端５６８との間の距離を大きくし、バネ長を長くできる。
【００４８】
図６に示されるように、被押当部５７０は、シェル４０の背面部４０Ｒに押し当てられており、これにより、グランド部材５０は、シェル４０と接続されている。図７を参照すると、前述したように、シェル４０及びグランド部材５０の夫々は、回路基板７０にグランドされている。また、嵌合状態において、相手側シェル６３０、シェル４０及びグランド部材５０は、互いに接続され、互いに同じ電位を有する。本実施の形態によれば、この構造により、嵌合状態におけるシールド機能を強化できる。
【００４９】
図９から図１２までに示されるように、連結部５５０は、２つの段部５４０を介して２つの被保持部５２０を互いに連結している。詳しくは、連結部５５０は、主部５５２と、２つの腕部５５４とを有している。主部５５２は、ＹＺ平面上を延びる矩形の平板形状を有している。腕部５５４は、主部５５２のＹ方向両側に夫々繋がっている。腕部５５４は、Ｙ方向において互いに離れており、且つ、主部５５２に繋がった曲部を除き、ＸＺ平面に沿って互いに平行に延びている。
【００５０】
２つの段部５４０は、腕部５５４に夫々対応しており、且つ、被保持部５２０に夫々対応している。段部５４０の夫々は、対応する腕部５５４の下端を、対応する被保持部５２０の上端と連結している。詳しくは、２つの被保持部５２０は、Ｙ方向において２つの腕部５５４の間に位置している。段部５４０の夫々は、Ｙ方向内側に向かって延びつつ、対応する腕部５５４の下端から、対応する被保持部５２０の上端まで延びている。
【００５１】
図１０及び図１１を参照すると、段部５４０が設けられているため、連結部５５０のＹ方向におけるサイズの最大値（Ｓ１）は、２つの被保持部５２０の外表面５２２の間のＹ方向における距離の最大値（Ｓ２）よりも大きい。このため、図３を参照すると、コネクタ１０のＹ方向におけるサイズの増大を抑制しつつ、連結部５５０の幅を十分に広くできる。これにより、弾性変形部５６２は、十分なバネ力を有する。
【００５２】
図１１を参照すると、本実施の形態において、連結部５５０の主部５５２のＹ方向におけるサイズ（幅）は、Ｓ２よりも僅かに小さい。但し、連結部５５０を幅広に形成するという観点からは、主部５５２の幅は、Ｓ２と同じであってもよいし、Ｓ２より広くてもよい。
【００５３】
図１０及び図１１を参照すると、Ｓ２を小さくできるため、２つの被固定部５９０の間のＹ方向における距離の最大値（Ｓ３）も小さくできる。また、図４を参照すると、保持部２２０のＹ方向におけるサイズも小さくでき、これにより２つの受容部２１０の間のＹ方向における距離を小さくできる。図５を参照すると、これにより、被固定部５９０と、隣接するコンタクト３０の被固定部３９０との間の距離（Ｓ４）を必要なサイズに維持しつつ、コネクタ１０のＹ方向におけるサイズを小さくできる。
【００５４】
図３を参照すると、グランド部材５０は、Ｙ方向と直交する所定平面（ＸＺ平面）について鏡対称な形状を有している。この構造により、２組のコンタクトセット３０Ｓの導体抵抗を互いに一致させることができる。但し、本発明は、これに限られない。グランド部材５０は、既に説明した変形例に加え、以下に説明するように、様々に変形可能である。
【００５５】
図４を参照すると、コネクタ１０がｎ組（ｎ≧３）のコンタクトセット３０Ｓを備えている場合、コネクタ１０は、ｍ個（ｍ＝ｎ−１）のグランド部材５０を備えていてもよい。この場合、グランド部材５０の夫々は、Ｙ方向においてコンタクトセット３０Ｓのうちの互いに隣り合う２組の間に位置していればよい。
【００５６】
図９を参照すると、接続部５３０の夫々は、グランド部材５０のうちの接続部５３０を除く部位と別体であってもよい。例えば、図４を参照すると、コネクタ１０は、ＹＺ平面においてコンタクトセット３０Ｓを夫々覆う２つの内部シェル４０Ｙ（図４において破線で描画した部位）を備えていてもよい。図７を併せて参照すると、内部シェル４０Ｙは、嵌合状態において相手側コネクタ６０の相手側シェル６３０と夫々接続してもよい。この場合、接続部５３０は、側板部５１０の一部でなくてもよい。代わりに、内部シェル４０Ｙは、グランド部材５０の被保持部５２０（図３参照）に接続されて繋がった所定部位を有していてもよい。この変形例においては、所定部位を含む内部シェル４０Ｙ全体が、グランド部材５０の接続部（相手側シェル６３０と接続する部位）として機能する。換言すれば、この場合、グランド部材５０は、側板部５１０と別体に形成された接続部を有している。
【００５７】
図１０を参照すると、本実施の形態の側板部５１０は、互いに平行に延びている。このため、外表面５２２の間のＹ方向における距離は一定である。但し、側板部５１０は、多少交差する２つの平面上を夫々延びていてもよい。換言すれば、外表面５２２の間のＹ方向における距離は、部位によって多少異なっていてもよい。
【００５８】
図３を参照すると、本実施の形態において、連結部５５０の主部５５２は、シェル４０の背面部４０Ｒと平行に延びている。但し、主部５５２は、背面部４０Ｒと多少交差する平面上を延びていてもよい。
【００５９】
図１０を参照すると、本実施の形態による２つの段部５４０は、Ｙ方向において互いに近づきつつ下方に延びている。但し、段部５４０は、Ｙ方向において互いに近づきつつ後方に延びていてもよい。例えば、図１２を参照すると、被保持部５２０の上端は、Ｚ方向において腕部５５４の上端と同じ位置にあってもよい（図１２において破線で描画した部位参照）。この場合、段部５４０の夫々は、対応する被保持部５２０の後端から対応する腕部５５４の前端まで、Ｙ方向内側及び後方に延びていてもよい。換言すれば、段部５４０の夫々は、対応する腕部５５４の前端を、対応する被保持部５２０の後端と連結してもよい。
【００６０】
以下、コネクタ１０（図１参照）の変形例について、図１３から図１９までを参照しつつ説明する。
【００６１】
図１３を図７と併せて参照すると、本変形例によるコネクタ１０Ａは、コネクタ１０と同様に、相手側シェル６３０を備えた相手側コネクタ６０と前後方向（嵌合方向：Ｘ方向）に沿って嵌合可能である。詳しくは、図１６を図６と併せて参照すると、コネクタ１０Ａは、コネクタ１０と同様に、前端１０Ｆと、後端１０Ｒと、嵌合部１２とを有している。嵌合部１２は、嵌合状態において、相手側コネクタ６０（図７参照）と嵌合する。加えて、コネクタ１０Ａは、コネクタ１０と同様に、回路基板７０に取付可能であり、且つ、筐体８０に収容可能である。
【００６２】
図１３及び図１４に示されるように、コネクタ１０Ａは、コネクタ１０（図１参照）と同じ２組のコンタクトセット３０Ｓを備えている一方、コネクタ１０とは少し異なる絶縁体からなるハウジング２０Ａと、金属製のシェル４０Ａと、導電体からなるグランド部材５０Ａとを備えている。グランド部材５０Ａは、シェル４０Ａと別体の部材である。
【００６３】
図１４を図３と併せて参照すると、ハウジング２０Ａは、ハウジング２０の後部２０Ｒと異なる後部２０ＲＡを有していることを除き、ハウジング２０と同じ形状を有している。後部２０ＲＡは、後部２０Ｒと少し異なる形状を有している。例えば、後部２０ＲＡの上下方向（Ｚ方向）における上端部のピッチ方向（Ｙ方向）における中間部には、グランド部材５０Ａに対応した切り欠きが形成されている。
【００６４】
シェル４０Ａは、シェル４０と同様に１枚の金属板から形成されており、シェル４０と同様な基本構造を有している。シェル４０Ａは、シェル４０と同じ側板部４０Ｓ及び背面部４０Ｒを有している一方、シェル４０の上板部４０Ｕとは少し異なる上板部４０ＵＡを有している。シェル４０Ａは、上方からハウジング２０Ａに取り付けられており、シェル４０Ａの背面部４０Ｒは、シェル４０と同様に、ハウジング２０Ａの背面２３０を覆っている。即ち、シェル４０Ａは、少なくとも部分的にハウジング２０Ａを覆っている。
【００６５】
シェル４０Ａは、付加的接続部４３０と少し異なる付加的接続部４３０Ａを有している。付加的接続部４３０Ａは、付加的接続部４３０と同様、上板部４０ＵＡに形成されており、且つ、弾性変形可能である。詳しくは、付加的接続部４３０Ａは、上板部４０ＵＡから、Ｙ方向において２つのバネに分かれつつ上方及び後方に延びている。付加的接続部４３０Ａの２つのバネは、付加的接続部４３０の２つのバネと比べて、Ｙ方向において大きく離れている。
【００６６】
図１６を図６と併せて参照すると、コネクタ１０Ａが筐体８０の内部に収容されたとき、付加的接続部４３０Ａの上端部は、付加的接続部４３０の上端部と同様に筐体８０と接触する。即ち、シェル４０Ａは、筐体８０と接続する付加的接続部４３０Ａを有している。
【００６７】
図１７を図９と併せて参照すると、グランド部材５０Ａは、グランド部材５０と同様に１枚の金属板から形成されており、グランド部材５０と同様な基本構造を有している。グランド部材５０Ａは、グランド部材５０と同じ段部５４０、連結部５５０、シェル接続部５６０及び被固定部５９０を有している一方、グランド部材５０とは少し異なる２つの側板部５１０Ａを有している。加えて、グランド部材５０Ａは、グランド部材５０に設けられていない筐体接続部５８０Ａを有している。
【００６８】
２つの側板部５１０Ａは、側板部５１０と同様に、Ｙ方向において互いに離れており、且つ、ＸＺ平面に沿って互いに平行に延びている。側板部５１０Ａの夫々は、側板部５１０と同じ接続部５３０を有している一方、側板部５１０の被保持部５２０とは少し異なる被保持部５２０Ａを有している。
【００６９】
図１２と図１９とを比較すると、被保持部５２０Ａの後端部の上端５２８Ａは、グランド部材５０の被保持部５２０の後端部の上端５２８に比べて上方に位置している。この結果、グランド部材５０Ａの段部５４０、連結部５５０及びシェル接続部５６０は、グランド部材５０に比べて上方に位置している。
【００７０】
図１７から図１９までを参照すると、被保持部５２０Ａは、上述した相違点を除き、被保持部５２０（図１２参照）と同じ構造を有している。例えば、２つの被保持部５２０Ａは、Ｙ方向において互いに離れている。相手側シェル６３０（図７参照）と接続する接続部５３０は、被保持部５２０Ａに繋がっており、被保持部５２０Ａから前方に向かって延びている。回路基板７０（図１６参照）に固定される被固定部５９０は、被保持部５２０Ａから下方に延びている。また、被保持部５２０Ａの夫々は、Ｙ方向外側を向いた外表面５２２を有している。
【００７１】
図１４を図３と併せて参照すると、被保持部５２０Ａの夫々は、被保持部５２０と同様にハウジング２０Ａに強固に保持されている。この結果、グランド部材５０Ａは、Ｙ方向において２組のコンタクトセット３０Ｓの間に位置している。
【００７２】
図１７に示されるように、グランド部材５０Ａの筐体接続部５８０Ａは、弾性変形部（第２弾性変形部）５８２Ａと、被押当部（第２被押当部）５８８Ａとを有している。弾性変形部５８２Ａは、連結部５５０の主部５５２の上端から、弾性変形可能となるように上方及び前方に延びている。被押当部５８８Ａは、弾性変形部５８２ＡによってＺ方向に移動可能に支持されている。図１３に示されるように、弾性変形部５８２Ａは、Ｙ方向において付加的接続部４３０Ａの２つのバネの間を通過している。図１６を参照すると、コネクタ１０Ａが筐体８０の内部に収容されたとき、被押当部５８８Ａは、筐体８０に押し当てられる。即ち、グランド部材５０Ａは、筐体８０と接続する筐体接続部５８０Ａを有している。
【００７３】
図１７から図１９までに示されるように、グランド部材５０Ａの連結部５５０は、グランド部材５０（図９参照）と同様に、２つの段部５４０を介して２つの被保持部５２０Ａを互いに連結している。グランド部材５０Ａの弾性変形部（第１弾性変形部）５６２は、グランド部材５０と同様に、連結部５５０から下方に延びており、且つ、被押当部（第１被押当部）５７０を支持している。
【００７４】
図１６に示されるように、グランド部材５０Ａの被押当部５７０は、グランド部材５０（図６参照）と同様に、シェル４０Ａの背面部４０Ｒに押し当てられており、これにより、グランド部材５０Ａは、シェル４０Ａと接続されている。図７を併せて参照すると、シェル４０Ａ及びグランド部材５０Ａの夫々は、回路基板７０にグランドされている。また、嵌合状態において、相手側シェル６３０、シェル４０Ａ及びグランド部材５０Ａは、互いに接続され、互いに同じ電位を有する。本変形例によれば、シールド機能を前述した実施の形態と同様に強化できるだけでなく、筐体接続部５８０Ａと筐体８０との接続によりシールド機能を更に強化できる。
【００７５】
本変形例によるグランド部材５０Ａは、２つの弾性変形部（弾性変形部５６２及び弾性変形部５８２Ａ）を有している。詳しくは、グランド部材５０Ａのシェル接続部５６０は、弾性変形部のうちの１つである第１弾性変形部５６２と、第１弾性変形部５６２のバネ力によってシェル４０Ａに押し当てられる第１被押当部５７０とを有している。一方、グランド部材５０Ａの筐体接続部５８０Ａは、弾性変形部のうちの１つである第２弾性変形部５８２Ａと、第２弾性変形部５８２Ａのバネ力によって筐体８０に押し当てられる第２被押当部５８８Ａとを有している。但し、本発明は、これに限られず、グランド部材は、少なくとも１つの弾性変形部を有していればよい。
【００７６】
更に、図１６を参照すると、筐体接続部５８０Ａを、筐体８０に代えてシェル４０Ａの上板部４０ＵＡの内面と接続してもよい。この接続により、シェル４０Ａとグランド部材５０Ａとの間の接続を強化できる。この場合、グランド部材５０Ａは、シェル４０Ａの背面部４０Ｒと接続するシェル接続部５６０に加えて、シェル４０Ａの上板部４０ＵＡと接続するシェル接続部（筐体接続部５８０Ａ）を有している。換言すれば、筐体接続部５８０Ａの被押当部５８８Ａは、シェル４０Ａに押し当てられる第１被押当部として機能し、筐体接続部５８０Ａの弾性変形部５８２Ａは、第１被押当部を支持する第１弾性変形部として機能する。弾性変形部５８２Ａを第１弾性変形部として使用することで、バネ長の長い第１弾性変形部が容易に得られる。
【００７７】
図１８を参照すると、本変形例によれば、段部５４０が前述した実施の形態と同様に設けられているため、連結部５５０のＹ方向におけるサイズの最大値（Ｓ１）は、２つの被保持部５２０Ａの外表面５２２の間のＹ方向における距離の最大値（Ｓ２）よりも大きい。このため、図１５を参照すると、コネクタ１０ＡのＹ方向におけるサイズの増大を抑制しつつ、連結部５５０の幅を十分に広くできる。これにより、弾性変形部５６２及び弾性変形部５８２Ａの夫々は、十分なバネ力を有する。
【００７８】
更に、図１８を参照すると、Ｓ２を小さくできるため、２つの被固定部５９０の間のＹ方向における距離の最大値（Ｓ３）も小さくできる。図１５を参照すると、これにより、被固定部５９０と、隣接するコンタクト３０の被固定部３９０との間の距離（Ｓ４）を必要なサイズに維持しつつ、コネクタ１０ＡのＹ方向におけるサイズを小さくできる。
【００７９】
グランド部材５０Ａは、グランド部材５０（図１１参照）と同様に、Ｙ方向と直交する所定平面（ＸＺ平面）について鏡対称な形状を有している。この構造により、２組のコンタクトセット３０Ｓの導体抵抗を互いに一致させることができる。
【００８０】
以下、グランド部材５０（図９参照）の他の変形例について、図２０から図２２までを参照しつつ説明する。
【００８１】
図２０を図３と併せて参照すると、本変形例によるグランド部材５０Ｂは、グランド部材５０と同じ基本構造を有している。例えば、グランド部材５０Ｂは、ピッチ方向（Ｙ方向）と直交する所定平面（ＸＺ平面）について鏡対称な形状を有している。グランド部材５０Ｂは、グランド部材５０に代えて、コネクタ１０の部材として使用可能であり、グランド部材５０と基本的に同じ効果を発揮する。但し、グランド部材５０Ｂは、グランド部材５０と少し異なる形状を有している。以下、グランド部材５０Ｂについて、グランド部材５０との相違点を中心に説明する。
【００８２】
図２０から図２２までを参照すると、グランド部材５０Ｂは、２つの側板部５１０Ｂと、２つの段部５４０Ｂと、連結部５５０Ｂと、シェル接続部５６０Ｂと、被固定部５９０Ｂとを有している。シェル接続部５６０Ｂは、弾性変形部（第１弾性変形部）５６２Ｂと、被押当部（第１被押当部）５７０Ｂとを有している。２つの側板部５１０Ｂは、Ｙ方向において互いに離れており、且つ、ＸＺ平面に沿って互いに平行に延びている。側板部５１０Ｂの夫々は、被保持部５２０Ｂと、接続部５３０とを有している。２つの被保持部５２０Ｂは、Ｙ方向において互いに離れており、被保持部５２０Ｂの外表面５２２は、Ｙ方向外側を夫々向いている。
【００８３】
図２０を図３と併せて参照すると、被保持部５２０Ｂの夫々を前後方向（Ｘ方向）における後方からハウジング２０に圧入すると、グランド部材５０Ｂは、ハウジング２０にしっかりと保持され、Ｙ方向において２組のコンタクトセット３０Ｓの間に位置する。
【００８４】
図２２を参照すると、被固定部５９０Ｂは、連結部５５０Ｂの主部５５２Ｂから前方に延びた後に上下方向（Ｚ方向）において下方に延びている。図６を併せて参照すると、被固定部５９０Ｂは、回路基板７０に固定される部位である。本変形例によれば、１つの被固定部５９０Ｂによって、グランド部材５０を、回路基板７０にグランドできる。
【００８５】
図２０から図２２までに示されるように、弾性変形部５６２Ｂは、弾性変形可能となるように連結部５５０Ｂから上方に延びており、且つ、被押当部５７０Ｂを支持している。弾性変形部５６２Ｂは、Ｚ方向において上端５６６Ｂと、下端５６８Ｂとを有している。弾性変形部５６２Ｂの下端５６８Ｂは、連結部５５０Ｂの主部５５２Ｂの上端と繋がっている。弾性変形部５６２Ｂの上端５６６Ｂは、被押当部５７０Ｂと繋がっており、弾性変形部５６２Ｂの下端５６８Ｂに対して相対的に移動可能である。被押当部５７０Ｂは、自由端である弾性変形部５６２Ｂの上端５６６Ｂと繋がっており、Ｘ方向において移動可能である。本変形例による弾性変形部５６２Ｂは上方に延びているため、回路基板７０（図６参照）によって制約されることなく、弾性変形部５６２Ｂのバネ長を長くできる。
【００８６】
図６及び図２０を参照すると、グランド部材５０Ｂがハウジング２０に保持されたとき、被押当部５７０Ｂは、シェル４０の背面部４０Ｒに押し当てられ、これにより、グランド部材５０Ｂは、シェル４０と接続される。
【００８７】
図２０から図２２までに示されるように、連結部５５０Ｂは、２つの段部５４０Ｂを介して２つの被保持部５２０Ｂを互いに連結している。詳しくは、連結部５５０Ｂは、主部５５２Ｂと、２つの腕部５５４Ｂとを有している。主部５５２Ｂは、ＸＹ平面上を延びる矩形の平板形状を有している。腕部５５４Ｂは、主部５５２ＢのＹ方向両側に夫々繋がっており、Ｙ方向において徐々に離れつつＺ方向において上方に延びている。
【００８８】
２つの段部５４０Ｂは、腕部５５４Ｂに夫々対応しており、且つ、被保持部５２０Ｂに夫々対応している。段部５４０Ｂの夫々は、対応する腕部５５４Ｂの上端を、対応する被保持部５２０Ｂの下端と連結している。詳しくは、段部５４０Ｂの夫々は、Ｙ方向内側に向かって延びつつ、対応する腕部５５４Ｂの下端から、対応する被保持部５２０Ｂの上端まで延びている。
【００８９】
図２０及び図２１を参照すると、本変形例によれば、段部５４０Ｂが設けられているため、連結部５５０ＢのＹ方向におけるサイズの最大値（Ｓ１）は、２つの被保持部５２０Ｂの外表面５２２の間のＹ方向における距離の最大値（Ｓ２）よりも大きい。これにより、グランド部材５０Ｂは、グランド部材５０（図５参照）と同じ効果を発揮する。
【００９０】
以下、グランド部材５０Ａ（図１７参照）の変形例について、図２３から図２５までを参照しつつ説明する。
【００９１】
図２３を図１７と併せて参照すると、本変形例によるグランド部材５０Ｃは、シェル接続部５６０を有していないことを除き、グランド部材５０Ａと同じ構造を有している。グランド部材５０Ｃは、グランド部材５０Ａに代えて、コネクタ１０Ａ（図１３参照）の部材として使用可能であり、グランド部材５０Ａと基本的に同じ効果を発揮する。以下、グランド部材５０Ｃについて、グランド部材５０Ａとの相違点を中心に説明する。
【００９２】
図２３から図２５までを図１６と併せて参照すると、グランド部材５０Ｃは、シェル４０Ａの背面部４０Ｒに直接的に接続される部位を有していない一方、筐体８０に直接的に接続される筐体接続部５８０Ａを有している。筐体接続部５８０Ａは、第２弾性変形部５８２Ａと、筐体８０に押し当てられる第２被押当部５８８Ａとを有している。筐体接続部５８０Ａと筐体８０との接続により、グランド部材５０Ｃは、筐体８０に接続されたシェル４０Ａと間接的に接続される。グランド部材５０Ｃを使用することによっても、シールド機能を強化できる。
【００９３】
更に、筐体接続部５８０Ａを、筐体８０に代えてシェル４０Ａの上板部４０ＵＡの内面と接続してもよい。この接続により、グランド部材５０Ｃをシェル４０Ａと直接的に接続できる。この場合、グランド部材５０Ｃは、シェル４０Ａの上板部４０ＵＡと接続するシェル接続部（筐体接続部５８０Ａ）を有している。換言すれば、筐体接続部５８０Ａの被押当部５８８Ａは、シェル４０Ａに押し当てられる第１被押当部として機能し、筐体接続部５８０Ａの弾性変形部５８２Ａは、第１被押当部を支持する第１弾性変形部として機能する。
【符号の説明】
【００９４】
１０，１０Ａ                  コネクタ
１０Ｆ                        前端
１０Ｒ                        後端
１２                          嵌合部
２０，２０Ａ                  ハウジング
２０Ｕ                        上部
２０Ｌ                        下部
２０Ｓ                        側部
２０Ｒ，２０ＲＡ              後部
２１０                        受容部
２１２                        コンタクト保持部
２２０                        保持部
２３０                        背面
３０                          コンタクト
３０Ｓ                        コンタクトセット
３１０                        被保持部
３２０                        接触部
３８０                        延長部
３９０                        被固定部
４０，４０Ａ                  シェル
４０Ｕ，４０ＵＡ              上板部
４０Ｓ                        側板部
４０Ｒ                        背面部
４２０                        主接続部
４３０，４３０Ａ              付加的接続部
４９０                        被固定部
４０Ｘ                        付加部材
４０Ｙ                        内部シェル
５０，５０Ａ，５０Ｂ，５０Ｃ  グランド部材
５１０，５１０Ａ，５１０Ｂ    側板部
５２０，５２０Ａ，５２０Ｂ    被保持部
５２２                        外表面
５２４，５２６                突起
５２８，５２８Ａ              上端
５３０                        接続部
５３２                        バネ部
５３８                        接点部
５４０，５４０Ｂ              段部
５５０，５５０Ｂ              連結部
５５２，５５２Ｂ              主部
５５４，５５４Ｂ              腕部
５６０，５６０Ｂ              シェル接続部
５６２，５６２Ｂ              弾性変形部（第１弾性変形部）
５６６，５６６Ｂ              上端
５６８，５６８Ｂ              下端
５７０，５７０Ｂ              被押当部（第１被押当部）
５８０Ａ                      筐体接続部
５８２Ａ                      弾性変形部（第２弾性変形部）
５８８Ａ                      被押当部（第２被押当部）
５９０，５９０Ｂ              被固定部
６０                          相手側コネクタ
６１０                        相手側ハウジング
６２０                        相手側コンタクト
６２０Ｓ                      相手側コンタクトセット
６３０                        相手側シェル
６９０                        ケーブル
７０                          対象物（回路基板）
７０Ｕ                        上面
８０                          筐体
【図１】
2018045967.tif 000003
【図２】
2018045967.tif 000004
【図３】
2018045967.tif 000005
【図４】
2018045967.tif 000006
【図５】
2018045967.tif 000007
【図６】
2018045967.tif 000008
【図７】
2018045967.tif 000009
【図８】
2018045967.tif 000010
【図９】
2018045967.tif 000011
【図１０】
2018045967.tif 000012
【図１１】
2018045967.tif 000013
【図１２】
2018045967.tif 000014
【図１３】
2018045967.tif 000015
【図１４】
2018045967.tif 000016
【図１５】
2018045967.tif 000017
【図１６】
2018045967.tif 000018
【図１７】
2018045967.tif 000019
【図１８】
2018045967.tif 000020
【図１９】
2018045967.tif 000021
【図２０】
2018045967.tif 000022
【図２１】
2018045967.tif 000023
【図２２】
2018045967.tif 000024
【図２３】
2018045967.tif 000025
【図２４】
2018045967.tif 000026
【図２５】
2018045967.tif 000027
【図２６】
2018045967.tif 000028